(57)【特許請求の範囲】
【請求項１】
外箱と内箱を有すると共にこの外箱とこの内箱の間に空間を形成する電気機器本体と、
この電気機器本体の前記空間に配置される電気配線と、
前記空間に充填された断熱材と
を備え、
この電気配線は、直流電流が流れるＤＣ線と、交流電流が流れるＡＣ線とを有し、
前記ＤＣ線と前記ＡＣ線は、互いに分離して接触しないように、配列され、
前記ＡＣ線の上下に延びる主要部は、前記電気機器本体の背面側の前記空間の左右一方側の上下角部を通過する一方、前記ＤＣ線の上下に延びる主要部は、前記電気機器本体の背面側の前記空間の左右他方側の上下角部を通過し、
前記ＡＣ線の前記主要部は、前記電気機器本体の前記左右一方側の側縁に平行となるように、前記電気機器本体の前記左右一方側の側縁部に配列され、
前記ＡＣ線の前記主要部の近傍にＡＣ用コネクタが配置され、このＡＣ用コネクタは、前記ＡＣ線の前記主要部またはこの主要部から延びている枝部に、取り付けられていることを特徴とする電気配線の配列構造。
【請求項２】
請求項１に記載の電気配線の配列構造において、
前記外箱は、互いに分離されたＤＣ線専用孔部およびＡＣ線専用孔部を有し、
前記ＤＣ線は、前記ＤＣ線専用孔部から、前記外箱の外側に引き出される一方、
前記ＡＣ線は、前記ＡＣ線専用孔部から、前記外箱の外側に引き出されることを特徴とする電気配線の配列構造。
【請求項３】
請求項１に記載の電気配線の配列構造において、
前記内箱は、互いに分離されたＤＣ線専用孔部およびＡＣ線専用孔部を有し、
前記ＤＣ線は、前記ＤＣ線専用孔部から、前記内箱の内側に引き出される一方、
前記ＡＣ線は、前記ＡＣ線専用孔部から、前記内箱の内側に引き出されることを特徴とする電気配線の配列構造。
【請求項４】
請求項１に記載の電気配線の配列構造において、
前記電気配線は、高圧電源に接続され、
前記ＤＣ線は、トランスに接続され、
前記ＡＣ線は、耐圧用の絶縁チューブで覆われていることを特徴とする電気配線の配列構造。
【請求項５】
請求項１ないし４の何れか一つに記載の電気配線の配列構造を備えることを特徴とする冷蔵庫。
【発明の詳細な説明】
【技術分野】
【０００１】
この発明は、電気配線の配列構造、および、この電気配線の配列構造を備える冷蔵庫に関する。
【背景技術】
【０００２】
従来、電気機器の一例の冷蔵庫としては、図４の背面図に示すように、冷蔵庫本体１０１と、この冷蔵庫本体１０１の内部空間に配置される電気配線１０２とを備えたものがある（実開平４−１１７３７３号公報：特許文献１参照）。
【０００３】
この電気配線１０２は、例えば、図示しないファンモータ、ドアスイッチおよび温度センサ等の電気部品と、図示しない制御回路とを、結線している。この電気配線１０２は、直流電流が流れるＤＣ線１２１と、交流電流が流れるＡＣ線１２２とを有している。
【０００４】
そして、この電気配線１０２の配列構造としては、上記ＤＣ線１２１と上記ＡＣ線１２２は、上記冷蔵庫本体１０１の内部空間で、互いに接触するように、一つにまとめられていた。
【０００５】
しかしながら、この従来の電気配線の配列構造では、上記ＤＣ線１２１と上記ＡＣ線１２２は、互いに接触しているので、上記ＤＣ線１２１と上記ＡＣ線１２２の接触が原因となるノイズが発生していた。
【０００６】
また、この冷蔵庫を高圧電源下で使用する場合、上記ＤＣ線１２１と上記ＡＣ線１２２を共に、高圧電源下での耐圧の対応をする必要があった。つまり、上記ＤＣ線１２１と上記ＡＣ線１２２を共に、耐圧用の絶縁チューブ１２５で覆っており、耐圧対応の作業に手間がかかり、コストが増加していた。
【特許文献１】実開平４−１１７３７３号公報（図１）
【発明の開示】
【発明が解決しようとする課題】
【０００７】
そこで、この発明の課題は、ノイズの発生を防止し、耐圧対応の作業の簡素化およびコストの低減を図ることができる電気配線の配列構造を提供することにある。
【課題を解決するための手段】
【０００８】
外箱と内箱を有すると共にこの外箱とこの内箱の間に空間を形成する電気機器本体と、
この電気機器本体の前記空間に配置される電気配線と、
前記空間に充填された断熱材と
を備え、
この電気配線は、直流電流が流れるＤＣ線と、交流電流が流れるＡＣ線とを有し、
前記ＤＣ線と前記ＡＣ線は、互いに分離して接触しないように、配列され、
前記ＡＣ線の上下に延びる主要部は、前記電気機器本体の背面側の前記空間の左右一方側の上下角部を通過する一方、前記ＤＣ線の上下に延びる主要部は、前記電気機器本体の背面側の前記空間の左右他方側の上下角部を通過し、
前記ＡＣ線の前記主要部は、前記電気機器本体の前記左右一方側の側縁に平行となるように、前記電気機器本体の前記左右一方側の側縁部に配列され、
前記ＡＣ線の前記主要部の近傍にＡＣ用コネクタが配置され、このＡＣ用コネクタは、前記ＡＣ線の前記主要部またはこの主要部から延びている枝部に、取り付けられていることを特徴としている。
【０００９】
この発明の電気配線の配列構造によれば、上記ＤＣ線と上記ＡＣ線は、互いに分離して接触しないように、配列されているので、上記ＤＣ線と上記ＡＣ線の接触が原因となるノイズの発生が無くなる。また、上記電気配線を備える電気機器を高圧電源下で使用する場合、高圧電源下での耐圧の対応が、上記ＡＣ線のみの対応でよくなって、耐圧対応の作業の簡素化、および、コストの低減を図ることができる。
【００１０】
また、一実施形態の電気配線の配列構造では、上記外箱は、互いに分離されたＤＣ線専用孔部およびＡＣ線専用孔部を有し、上記ＤＣ線は、上記ＤＣ線専用孔部から、上記外箱の外側に引き出される一方、上記ＡＣ線は、上記ＡＣ線専用孔部から、上記外箱の外側に引き出されている。
【００１１】
この実施形態の電気配線の配列構造によれば、上記外箱は、上記ＤＣ線専用孔部および上記ＡＣ線専用孔部を有し、上記ＤＣ線は、上記ＤＣ線専用孔部から、上記外箱の外側に引き出される一方、上記ＡＣ線は、上記ＡＣ線専用孔部から、上記外箱の外側に引き出されるので、上記ＤＣ線と上記ＡＣ線の接触を確実に防止できる。また、上記外箱の外側に引き出された上記ＤＣ線と上記ＡＣ線を確実に区別できて、電気部品との誤配線を防止できる。
【００１２】
また、一実施形態の電気配線の配列構造では、上記内箱は、互いに分離されたＤＣ線専用孔部およびＡＣ線専用孔部を有し、上記ＤＣ線は、上記ＤＣ線専用孔部から、上記内箱の内側に引き出される一方、上記ＡＣ線は、上記ＡＣ線専用孔部から、上記内箱の内側に引き出されている。
【００１３】
この実施形態の電気配線の配列構造によれば、上記内箱は、上記ＤＣ線専用孔部および上記ＡＣ線専用孔部を有し、上記ＤＣ線は、上記ＤＣ線専用孔部から、上記内箱の内側に引き出される一方、上記ＡＣ線は、上記ＡＣ線専用孔部から、上記内箱の内側に引き出されるので、上記ＤＣ線と上記ＡＣ線の接触を確実に防止できる。また、上記内箱の内側に引き出された上記ＤＣ線と上記ＡＣ線を確実に区別できて、電気部品との誤配線を防止できる。
【００１４】
また、一実施形態の電気配線の配列構造では、
前記電気配線は、高圧電源に接続され、
前記ＤＣ線は、トランスに接続され、
前記ＡＣ線は、耐圧用の絶縁チューブで覆われている。
【００１５】
ここで、高圧電源とは、例えば、定格電圧が２００Ｖの電源をいう。
【００１６】
この実施形態の電気配線の配列構造によれば、上記電気配線は、高圧電源に接続されるので、高圧電源下での耐圧の対応が、上記ＡＣ線のみの対応でよくなって、耐圧対応の作業の簡素化、および、コストの低減を図ることができる。
【００１７】
また、この発明の冷蔵庫は、上記電気配線の配列構造を備えることを特徴としている。
【００１８】
この発明の冷蔵庫によれば、上記電気配線の配列構造を備えるので、ノイズの発生を防止すると共に、製造工程および製造コストの低減を図ることができる。
【発明の効果】
【００１９】
この発明の電気配線の配列構造によれば、上記ＤＣ線と上記ＡＣ線は、互いに分離して接触しないように、配列されているので、ノイズの発生を防止し、耐圧対応の作業の簡素化およびコストの低減を図ることができる。
【００２０】
また、この発明の冷蔵庫によれば、上記電気配線の配列構造を備えるので、ノイズの発生を防止すると共に、製造工程および製造コストの低減を図ることができる。
【発明を実施するための最良の形態】
【００２１】
以下、この発明を図示の実施の形態により詳細に説明する。
【００２２】
図１は、本発明の電気配線の配列構造を備える冷蔵庫の正面図を示している。図２は、図１のＡ−Ａ断面図を示し、図３は、冷蔵庫の背面図を示している。
【００２３】
図１、図２および図３に示すように、この冷蔵庫は、電気機器本体の一例としての冷蔵庫本体１と、この冷蔵庫本体１の上下の開口に取り付けられる上下の扉３，３とを備える。
【００２４】
上記冷蔵庫本体１は、外箱１１と、この外箱１１内に配置される内箱１２とを有する。上記外箱１１と上記内箱１２の間には、空間１３を形成している。
【００２５】
上記外箱１１は、例えば金属板からなり、前面に一つの開口部を有する。上記内箱１２は、例えば樹脂からなり、前面に上下二つの開口部を有する。上記空間１３には、断熱材１４が充填されている。この断熱材１４は、例えば、硬質ウレタンフォームからなる。
【００２６】
上記空間１３には、電気配線２が配置されている。この電気配線２は、例えば、図示しないファンモータ、ドアスイッチおよび温度センサ等の電気部品と、図示しない制御回路とを、結線している。
【００２７】
この電気配線２は、直流電流が流れるＤＣ線２１と、交流電流が流れるＡＣ線２２とを有する。上記ＤＣ線２１および上記ＡＣ線２２は、それぞれ、導体とこの導体を被覆する絶縁体とを有する。上記ＤＣ線２１および上記ＡＣ線２２は、上記空間１３から、上記外箱１１の外側や上記内箱１２の内側に、引き出されている。
【００２８】
上記ＤＣ線２１と上記ＡＣ線２２は、互いに分離して接触しないように、配列されている。そして、このように配列されている上記ＤＣ線２１および上記ＡＣ線２２によって、電気配線の配列構造を構成している。
【００２９】
具体的に述べると、上記外箱１１は、互いに分離されたＤＣ線専用孔部１１ａおよびＡＣ線専用孔部１１ｂを有し、上記ＤＣ線２１は、上記ＤＣ線専用孔部１１ａから、上記外箱１１の外側に引き出される一方、上記ＡＣ線２２は、上記ＡＣ線専用孔部１１ｂから、上記外箱１１の外側に引き出される。
【００３０】
また、上記内箱１２は、互いに分離されたＤＣ線専用孔部１２ａおよびＡＣ線専用孔部１２ｂを有し、上記ＤＣ線２１は、上記ＤＣ線専用孔部１２ａから、上記内箱１２の内側に引き出される一方、上記ＡＣ線２２は、上記ＡＣ線専用孔部１２ｂから、上記内箱１２の内側に引き出される。
【００３１】
上記ＤＣ線２１の端末には、ＤＣコネクタ２３が取り付けられている。つまり、上記ＤＣコネクタ２３は、上記外箱１１の外側および上記内箱１２の内側のそれぞれに、配置されている。
【００３２】
上記ＡＣ線２２の端末には、ＡＣコネクタ２４が取り付けられている。つまり、上記ＡＣコネクタ２４は、上記外箱１１の外側および上記内箱１２の内側のそれぞれに、配置されている。
【００３３】
上記空間１３では、上記ＤＣ線２１と上記ＡＣ線２２は、互いに交わらないように分離して配置されている。上記ＤＣ線２１は、概ね、上記冷蔵庫本体１の左右一方側に配置され、上記ＡＣ線２２は、概ね、上記冷蔵庫本体１の左右他方側に配置されている。
【００３４】
具体的に述べると、上記ＤＣ線２１は、上記冷蔵庫本体１の上下方向に延びている主要部２１ａと、この主要部２１ａから左右方向や前後方向に延びている枝部２１ｂとを有する。上記ＡＣ線２２は、上記冷蔵庫本体１の上下方向に延びている主要部２２ａと、この主要部２２ａから左右方向や前後方向に延びている枝部２２ｂとを有する。そして、上記ＤＣ線２１の主要部２１ａは、上記冷蔵庫本体１の左右一方側に配置される一方、上記ＡＣ線２２の主要部２２ａは、上記冷蔵庫本体１の左右他方側に配置されている。
【００３５】
上記空間１３にある上記ＡＣ線２２には、耐圧用の絶縁チューブ２５が被覆されている。上記電気配線２が、高圧電源に接続される場合に、上記絶縁チューブ２５が、上記ＡＣ線２２に対して耐圧の対応となる。つまり、この冷蔵庫を、定格電圧が２００Ｖ等の高圧電源地域へ輸出して、この高圧電源下で使用することを考慮している。
【００３６】
また、上記ＤＣ線２１は、図示しないトランスに接続されている。したがって、高圧電源下でも、この冷蔵庫を安全に使用できる。
【００３７】
上記ＤＣ線専用孔部１１ａ，１２ａや上記ＡＣ線専用孔部１１ｂ，１２ｂには、上記ＤＣ線２１や上記ＡＣ線２２との間の隙間を埋めるように、シール材２６が取り付けられている。このシール材２６は、上記断熱材１４を上記空間１３に充填する際に、この断熱材１４が、上記外箱１１の外側や上記内箱１２の内側に、漏れ出すことを防止している。
【００３８】
上記構成の電気配線の配列構造によれば、上記ＤＣ線２１と上記ＡＣ線２２は、互いに分離して接触しないように、配列されているので、上記ＤＣ線２１と上記ＡＣ線２２の接触が原因となるノイズの発生が無くなる。
【００３９】
また、上記冷蔵庫を高圧電源下で使用する場合、高圧電源下での耐圧の対応が、上記ＡＣ線２２のみの対応でよくなる。つまり、上記絶縁チューブ２５は、上記ＡＣ線２２のみを被覆すればよくなる。したがって、耐圧対応の作業の簡素化、および、コストの低減を図ることができる。
【００４０】
また、上記外箱１１は、上記ＤＣ線専用孔部１１ａおよび上記ＡＣ線専用孔部１１ｂを有し、上記ＤＣ線２１は、上記ＤＣ線専用孔部１１ａから、上記外箱１１の外側に引き出される一方、上記ＡＣ線２２は、上記ＡＣ線専用孔部１１ｂから、上記外箱１１の外側に引き出されるので、上記ＤＣ線２１と上記ＡＣ線２２の接触を確実に防止できる。また、上記外箱１１の外側に引き出された上記ＤＣ線２１と上記ＡＣ線２２を確実に区別できて、電気部品との誤配線を防止できる。
【００４１】
また、上記内箱１２は、上記ＤＣ線専用孔部１２ａおよび上記ＡＣ線専用孔部１２ｂを有し、上記ＤＣ線２１は、上記ＤＣ線専用孔部１２ａから、上記内箱１２の内側に引き出される一方、上記ＡＣ線２２は、上記ＡＣ線専用孔部１２ｂから、上記内箱１２の内側に引き出されるので、上記ＤＣ線２１と上記ＡＣ線２２の接触を確実に防止できる。また、上記内箱１２の内側に引き出された上記ＤＣ線２１と上記ＡＣ線２２を確実に区別できて、電気部品との誤配線を防止できる。
【００４２】
また、上記電気配線２は、高圧電源に接続されるので、高圧電源下での耐圧の対応が、上記ＡＣ線２２のみの対応でよくなって、耐圧対応の作業の簡素化、および、コストの低減を図ることができる。
【００４３】
また、上記構成の冷蔵庫によれば、上記電気配線の配列構造を備えるので、ノイズの発生を防止すると共に、製造工程および製造コストの低減を図ることができる。
【００４４】
なお、この発明は上述の実施形態に限定されない。例えば、上記外箱１１や上記内箱１２には、上記ＤＣ線専用孔部１１ａ，１２ａや上記ＡＣ線専用孔部１１ｂ，１２ｂの代わりに、上記ＤＣ線２１および上記ＡＣ線２２を同時に挿通しても上記ＤＣ線２１と上記ＡＣ線２２が互いに接触しないような孔部を設けてもよい。また、上記電気配線の配列構造を、冷蔵庫以外に、電子レンジ、洗濯機や掃除機などの家庭用の電気機器に用いてもよい。
【図面の簡単な説明】
【００４５】
【図１】本発明の電気配線の配列構造を備える冷蔵庫の正面図である。
【図２】図１のＡ−Ａ断面図である。
【図３】図１の背面図である。
【図４】従来の電気配線の配列構造を備える冷蔵庫の背面図である。
【符号の説明】
【００４６】
１    冷蔵庫本体（電気機器本体）
１１    外箱
１１ａ    ＤＣ線専用孔部
１１ｂ    ＡＣ線専用孔部
１２    内箱
１２ａ    ＤＣ線専用孔部
１２ｂ    ＡＣ線専用孔部
１３    空間
１４    断熱材
２    電気配線
２１    ＤＣ線
２１ａ    主要部
２１ｂ    枝部
２２    ＡＣ線
２２ａ    主要部
２２ｂ    枝部
２３    ＤＣコネクタ
２４    ＡＣコネクタ
２５    絶縁チューブ
２６    シール材
【図１】
0004520395.tif 000002
【図２】
0004520395.tif 000003
【図３】
0004520395.tif 000004
【図４】
0004520395.tif 000005